(57)【要約】【課題】満員電車等、身動きが制約されるような混雑した場所においても、携帯端末をポケット等から取り出すことなく受信メールの内容確認や返信を行う。【解決手段】携帯端末１０がメール受信時にメール受信した旨と読み上げ要求操作内容とを含む音声ガイダンスをイヤホンマイク２０に送信し、ユーザによる読み上げ要求操作があった場合に携帯端末１０が受信メールの内容を音声変換しイヤホンマイク２０に送信し、続いて携帯端末１０が返信要求操作内容の音声ガイダンスをイヤホンマイク２０に送信し、ユーザによる返信要求操作があった場合に携帯端末１０が返信メッセージ選択用音声ガイダンスをイヤホンマイク２０に送信し、携帯端末１０がユーザによる選択操作に応じて抽出した返信メッセージを本文とする返信メールを生成，送信する。【選択図】      図１
2008065602.tif 000002
【特許請求の範囲】
【請求項１】
携帯端末とイヤホン装置とを備えたメール返信システムであって、
前記携帯端末は、メール受信時にメール受信した旨を音声で前記イヤホン装置に送信する手段と、ユーザによる読み上げ要求操作があった場合に受信メールの内容を音声変換し前記イヤホン装置に送信する手段と、ユーザによる返信要求操作があった場合に返信メッセージ選択用音声ガイダンスを前記イヤホン装置に送信する手段と、ユーザによる選択操作に応じて抽出した返信メッセージを本文とする返信メールを生成，送信する手段とを有し、
前記イヤホン装置は、前記携帯端末から受信した音声情報を出力する手段を有することを特徴とするメール返信システム。
【請求項２】
前記携帯端末は、受信メールの音声読み上げ，返信終了後に未読メールを抽出し、未読メールの音声読み上げ，返信を併せて行うことを特徴とする請求項１記載のメール返信システム。
【請求項３】
前記読み上げ要求操作，前記返信要求操作および前記選択操作は、前記携帯端末に備えられた特定キーの押下によることを特徴とする請求項１または２記載のメール返信システム。
【請求項４】
携帯端末とイヤホン装置とを備えたメール返信システムであって、
前記携帯端末は、ユーザによる所定操作があった場合に未読メールを抽出する手段と、抽出した未読メールの内容を音声変換して前記イヤホン装置に送信する手段と、ユーザによる返信要求操作があった場合に返信メッセージ選択用音声ガイダンスを前記イヤホン装置に送信する手段と、ユーザによる選択操作に応じて抽出した返信メッセージを本文とする返信メールを生成，送信する手段とを有し、
前記イヤホン装置は、前記携帯端末から受信した音声情報を出力する手段を有することを特徴とするメール返信システム。
【請求項５】
前記携帯端末は、未読メールの抽出にあたり、抽出時点の所定時間前までに受信している未読メールに限定して抽出することを特徴とする請求項２，３または４記載のメール返信システム。
【請求項６】
前記所定操作，前記返信要求操作および前記選択操作は、前記携帯端末に備えられた特定キーの押下によることを特徴とする請求項４または５記載のメール返信システム。
【請求項７】
前記携帯端末から前記イヤホン装置への送信は近距離無線通信により行うことを特徴とする請求項１〜６のいずれか１項記載のメール返信システム。
【請求項８】
メール受信時にメール受信した旨を音声で外部イヤホン装置に送信する手段と、ユーザによる読み上げ要求操作があった場合に受信メールの内容を音声変換し前記外部イヤホン装置に送信する手段と、ユーザによる返信要求操作があった場合に返信メッセージ選択用音声ガイダンスを前記外部イヤホン装置に送信する手段と、ユーザによる選択操作に応じて抽出した返信メッセージを本文とする返信メールを生成，送信する手段とを有することを特徴とする携帯端末。
【請求項９】
受信メールの音声読み上げ，返信終了後に未読メールを抽出し、未読メールの音声読み上げ，返信を併せて行うことを特徴とする請求項８記載の携帯端末。
【請求項１０】
前記読み上げ要求操作，前記返信要求操作および前記選択操作は特定キーの押下によることを特徴とする請求項８または９記載の携帯端末。
【請求項１１】
ユーザによる所定操作があった場合に未読メールを抽出する手段と、抽出した未読メールの内容を音声変換して外部イヤホン装置に送信する手段と、ユーザによる返信要求操作があった場合に返信メッセージ選択用音声ガイダンスを前記外部イヤホン装置に送信する手段と、ユーザによる選択操作に応じて抽出した返信メッセージを本文とする返信メールを生成，送信する手段とを有することを特徴とする携帯端末。
【請求項１２】
未読メールの抽出にあたり、抽出時点の所定時間前までに受信している未読メールに限定して抽出することを特徴とする請求項９，１０または１１記載の携帯端末。
【請求項１３】
前記所定操作，前記返信要求操作および前記選択操作は、特定キーの押下によることを特徴とする請求項１１または１２記載の携帯端末。
【請求項１４】
前記外部イヤホン装置への送信は近距離無線通信により行うことを特徴とする請求項８〜１３のいずれか１項記載の携帯端末。
【請求項１５】
携帯端末とイヤホン装置とを用いたメール返信方法であって、
前記携帯端末がメール受信時にメール受信した旨と読み上げ要求操作内容とを含む音声ガイダンスを前記イヤホン装置に送信するステップと、ユーザによる読み上げ要求操作があった場合に前記携帯端末が受信メールの内容を音声変換し前記イヤホン装置に送信するステップと、前記携帯端末が返信要求操作内容の音声ガイダンスを前記イヤホン装置に送信するステップと、ユーザによる返信要求操作があった場合に前記携帯端末が返信メッセージ選択用音声ガイダンスを前記イヤホン装置に送信するステップと、前記携帯端末がユーザによる選択操作に応じて抽出した返信メッセージを本文とする返信メールを生成，送信するステップとを有することを特徴とするメール返信方法。
【請求項１６】
携帯端末とイヤホン装置とを用いたメール返信方法であって、
ユーザによる所定操作があった場合に前記携帯端末が未読メールを抽出するステップと、抽出した未読メールの内容を前記携帯端末が音声変換して前記イヤホン装置に送信するステップと、前記携帯端末が返信要求操作内容の音声ガイダンスを前記イヤホン装置に送信するステップと、ユーザによる返信要求操作があった場合に前記携帯端末が返信メッセージ選択用音声ガイダンスを前記イヤホン装置に送信するステップと、前記携帯端末がユーザによる選択操作に応じて抽出した返信メッセージを本文とする返信メールを生成，送信するステップとを有することを特徴とするメール返信方法。
【請求項１７】
メール受信時にメール受信した旨を音声で外部装置に送信する機能、ユーザによる読み上げ要求操作があった場合に受信メールの内容を音声変換し前記外部装置に送信する機能、ユーザによる返信要求操作があった場合に返信メッセージ選択用音声ガイダンスを前記外部装置に送信する機能、ユーザによる選択操作に応じて抽出した返信メッセージを本文とする返信メールを生成，送信する機能、をコンピュータに実現させるためのプログラム。
【請求項１８】
ユーザによる所定操作があった場合に未読メールを抽出する機能、抽出した未読メールの内容を音声変換して外部装置に送信する機能、ユーザによる返信要求操作があった場合に返信メッセージ選択用音声ガイダンスを前記外部装置に送信する機能、ユーザによる選択操作に応じて抽出した返信メッセージを本文とする返信メールを生成，送信する機能、をコンピュータに実現させるためのプログラム。
【発明の詳細な説明】
【技術分野】
【０００１】
本発明は、携帯端末と耳装着型イヤホンマイクやヘッドホンとを用いてメール返信を行うメール返信システム，携帯端末，メール返信方法およびプログラムに関する。
【背景技術】
【０００２】
携帯端末における返信メールの作成，送信に関する従来例は、例えば、特開２００２−２８８０８１号公報（特許文献１）に開示されている。この特許文献１における電子メール送受信装置（携帯電話機）３０は、図１２（従来の電子メール送受信装置の構成を示す図）に示すように、メールを受信する無線部３１や、キー操作部３２、表示部３３、制御部３４、ＲＯＭ３５、等を備えている。
そして、この特許文献１においては、
・複数の引用パターンをＲＯＭ３５に予め登録しておき、
・返信メール作成時に、ユーザにより選択された受信メールを表示部３３に表示するとともに、引用パターン選択メニュー画面を表示部３３に表示し、
・画面上でユーザが希望する引用パターンをキー操作部３２から選択することにより、制御部３４はＲＯＭ３５から該当する引用パターンを抽出し、引用パターンに基づいて受信メールを引用した返信メールを表示部３３に表示し、
・ユーザは追加内容をキー操作部３２から入力してメール本文を完成させ、返信メールを送信する、
ことが記載されている。
【０００３】
【特許文献１】特開２００２−２８８０８１号公報（段落「００２５」、「００３６」〜「００３９」、図１、図３）
【発明の開示】
【発明が解決しようとする課題】
【０００４】
上述した特許文献１においては、受信メールの内容確認については携帯電話機の表示部に表示された受信メールをユーザが目視にて確認することを前提としており、返信メールの作成，送信についても表示部を見ながら行う必要がある。このため、通勤時の満員電車の車中等、手足を自由に動かすことが制約されるような場所においては、携帯電話機をポケット等から取り出して受信メールを閲覧したり返信メールを作成するのは非常に困難である。
【０００５】
本発明の目的は、以上の課題を解決し、携帯電話機を取り出すことなく受信メールの内容確認や返信メールの作成，送信を可能とするメール返信システム，携帯端末，メール返信方法およびプログラムを提供することにある。
【課題を解決するための手段】
【０００６】
本発明の第１のメール返信システムは、携帯端末とイヤホン装置とを備えたメール返信システムであって、
前記携帯端末は、メール受信時にメール受信した旨を音声で前記イヤホン装置に送信する手段と、ユーザによる読み上げ要求操作があった場合に受信メールの内容を音声変換し前記イヤホン装置に送信する手段と、ユーザによる返信要求操作があった場合に返信メッセージ選択用音声ガイダンスを前記イヤホン装置に送信する手段と、ユーザによる選択操作に応じて抽出した返信メッセージを本文とする返信メールを生成，送信する手段とを有し、
前記イヤホン装置は、前記携帯端末から受信した音声情報を出力する手段を有する。
【０００７】
本発明の第２のメール返信システムは、本発明の第１のメール返信システムにおいて、前記携帯端末は、受信メールの音声読み上げ，返信終了後に未読メールを抽出し、未読メールの音声読み上げ，返信を併せて行うことを特徴とする。
【０００８】
本発明の第３のメール返信システムは、本発明の第１または第２のメール返信システムにおいて、前記読み上げ要求操作，前記返信要求操作および前記選択操作は、前記携帯端末に備えられた特定キーの押下によることを特徴とする。
【０００９】
本発明の第４のメール返信システムは、携帯端末とイヤホン装置とを備えたメール返信システムであって、
前記携帯端末は、ユーザによる所定操作があった場合に未読メールを抽出する手段と、抽出した未読メールの内容を音声変換して前記イヤホン装置に送信する手段と、ユーザによる返信要求操作があった場合に返信メッセージ選択用音声ガイダンスを前記イヤホン装置に送信する手段と、ユーザによる選択操作に応じて抽出した返信メッセージを本文とする返信メールを生成，送信する手段とを有し、
前記イヤホン装置は、前記携帯端末から受信した音声情報を出力する手段を有する。
【００１０】
本発明の第５のメール返信システムは、本発明の第２，第３または第４のメール返信システムにおいて、前記携帯端末は、未読メールの抽出にあたり、抽出時点の所定時間前までに受信している未読メールに限定して抽出することを特徴とする。
【００１１】
本発明の第６のメール返信システムは、本発明の第４または第５のメール返信システムにおいて、前記所定操作，前記返信要求操作および前記選択操作は、前記携帯端末に備えられた特定キーの押下によることを特徴とする。
【００１２】
本発明の第７のメール返信システムは、本発明の第１〜第６のいずれかのメール返信システムにおいて、前記携帯端末から前記イヤホン装置への送信は近距離無線通信により行うことを特徴とする。
【００１３】
本発明の第１の携帯端末は、メール受信時にメール受信した旨を音声で外部イヤホン装置に送信する手段と、ユーザによる読み上げ要求操作があった場合に受信メールの内容を音声変換し前記外部イヤホン装置に送信する手段と、ユーザによる返信要求操作があった場合に返信メッセージ選択用音声ガイダンスを前記外部イヤホン装置に送信する手段と、ユーザによる選択操作に応じて抽出した返信メッセージを本文とする返信メールを生成，送信する手段とを有する。
【００１４】
本発明の第２の携帯端末は、本発明の第１の携帯端末において、受信メールの音声読み上げ，返信終了後に未読メールを抽出し、未読メールの音声読み上げ，返信を併せて行うことを特徴とする。
【００１５】
本発明の第３の携帯端末は、本発明の第１または第２の携帯端末において、前記読み上げ要求操作，前記返信要求操作および前記選択操作は特定キーの押下によることを特徴とする。
【００１６】
本発明の第４の携帯端末は、ユーザによる所定操作があった場合に未読メールを抽出する手段と、抽出した未読メールの内容を音声変換して外部イヤホン装置に送信する手段と、ユーザによる返信要求操作があった場合に返信メッセージ選択用音声ガイダンスを前記外部イヤホン装置に送信する手段と、ユーザによる選択操作に応じて抽出した返信メッセージを本文とする返信メールを生成，送信する手段とを有する。
【００１７】
本発明の第５の携帯端末は、本発明の第２，第３または第４の携帯端末において、未読メールの抽出にあたり、抽出時点の所定時間前までに受信している未読メールに限定して抽出することを特徴とする。
【００１８】
本発明の第６の携帯端末は、本発明の第４または第５の携帯端末において、前記所定操作，前記返信要求操作および前記選択操作は、特定キーの押下によることを特徴とする。
【００１９】
本発明の第７の携帯端末は、本発明の第１〜第６のいずれかの携帯端末において、前記外部イヤホン装置への送信は近距離無線通信により行うことを特徴とする。
【００２０】
本発明の第１のメール返信方法は、携帯端末とイヤホン装置とを用いたメール返信方法であって、
前記携帯端末がメール受信時にメール受信した旨と読み上げ要求操作内容とを含む音声ガイダンスを前記イヤホン装置に送信するステップと、ユーザによる読み上げ要求操作があった場合に前記携帯端末が受信メールの内容を音声変換し前記イヤホン装置に送信するステップと、前記携帯端末が返信要求操作内容の音声ガイダンスを前記イヤホン装置に送信するステップと、ユーザによる返信要求操作があった場合に前記携帯端末が返信メッセージ選択用音声ガイダンスを前記イヤホン装置に送信するステップと、前記携帯端末がユーザによる選択操作に応じて抽出した返信メッセージを本文とする返信メールを生成，送信するステップとを有する。
【００２１】
本発明の第２のメール返信方法は、携帯端末とイヤホン装置とを用いたメール返信方法であって、
ユーザによる所定操作があった場合に前記携帯端末が未読メールを抽出するステップと、抽出した未読メールの内容を前記携帯端末が音声変換して前記イヤホン装置に送信するステップと、前記携帯端末が返信要求操作内容の音声ガイダンスを前記イヤホン装置に送信するステップと、ユーザによる返信要求操作があった場合に前記携帯端末が返信メッセージ選択用音声ガイダンスを前記イヤホン装置に送信するステップと、前記携帯端末がユーザによる選択操作に応じて抽出した返信メッセージを本文とする返信メールを生成，送信するステップとを有する。
【００２２】
本発明の第１のプログラムは、メール受信時にメール受信した旨を音声で外部装置に送信する機能、ユーザによる読み上げ要求操作があった場合に受信メールの内容を音声変換し前記外部装置に送信する機能、ユーザによる返信要求操作があった場合に返信メッセージ選択用音声ガイダンスを前記外部装置に送信する機能、ユーザによる選択操作に応じて抽出した返信メッセージを本文とする返信メールを生成，送信する機能、をコンピュータに実現させる。
【００２３】
本発明の第２のプログラムは、ユーザによる所定操作があった場合に未読メールを抽出する機能、抽出した未読メールの内容を音声変換して外部装置に送信する機能、ユーザによる返信要求操作があった場合に返信メッセージ選択用音声ガイダンスを前記外部装置に送信する機能、ユーザによる選択操作に応じて抽出した返信メッセージを本文とする返信メールを生成，送信する機能、をコンピュータに実現させる。
【発明の効果】
【００２４】
本発明においては、メール内容の確認や返信メールの作成，送信を、耳装着型イヤホンマイク２０への音声ガイダンス送信とブラインドタッチ可能な特定キーの押下とによって実現している。換言すれば、携帯端末１０をポケット等から取り出すことなく受信メールの内容確認や返信が行えるため、満員電車等、身動きが制約されるような混雑した場所においても、その場でメール内容の確認や返信が行えるという効果が得られる。
【発明を実施するための最良の形態】
【００２５】
本発明の実施の形態について図面を参照して詳細に説明する。
【００２６】
図１は、本発明の一実施の形態の構成を示す図であり、携帯端末１０とイヤホンマイク２０とを備えている。携帯端末１０とイヤホンマイク２０は、ブルートゥース(Bluetooth等)の近距離無線通信により接続される。
【００２７】
携帯端末１０は、携帯電話機，ＰＨＳ(Personal Handyphone System)，ＰＤＡ(Personal Digital Assistance)等の携帯情報端末である。この携帯端末１０は、アンテナ１１と、無線部１２と、操作部１３と、近距離無線通信部１４と、制御部１５と、記憶部１６と、音声データ記憶部１７とを備えている。なお、この携帯端末１０は図示しないＬＣＤ(Liquid Crystal Display)等の表示部や、スピーカ，マイク，二次電池等も備えているが、本発明に直接関係しないため詳細な説明は省略する。
【００２８】
無線部１２は図示しない基地局との間でアンテナ１１を介して無線信号の送受信を行う通信装置であり、操作部１３はテンキー，機能キー，ポインティングデバイス等の入力装置である。近距離無線通信部１４はブルートゥース等の近距離無線通信を行う機能を備えている。制御部１５は、ＣＰＵ(Central Processing Unit)等の制御装置であり、プログ
ラムにより動作を制御される。この制御部１５は、
・電子メール作成，送受信機能と、
・操作部１３による設定を受けて簡易返信モード（受信メールを音声変換してイヤホンマイク２０に送信し、特定キーの押下により選択されたメッセージを自動返信するモード）を登録する機能と、
・簡易返信モードにおける電子メール受信時に、受信通知の音声ガイダンスを近距離無線通信部１４を介してイヤホンマイク２０に送信する機能と、
・操作部１３による受信メール読み上げ操作を検出し、受信メールの文字列を音声に変換し、近距離無線通信部１４を介してイヤホンマイク２０に送信する機能と、
・操作部１３による返信操作を検出し、返信メッセージ選択用音声ガイダンスを近距離無線通信部１４を介してイヤホンマイク２０に送信する機能と、
・操作部１３による返信メッセージ選択操作を検出し、選択されたメッセージを本文とする返信メールを生成し送信する機能と、
を備えている。
【００２９】
記憶部１６は読み出し，書き込み可能な記憶装置であり、
・音声ガイダンス格納領域（第１音声ガイダンス格納領域１６１、第２音声ガイダンス格納領域１６２、第３音声ガイダンス格納領域１６３、第４音声ガイダンス格納領域１６４、第５音声ガイダンス格納領域１６５、第６音声ガイダンス格納領域１６６）と、
・キー押下回数対応メッセージ格納領域１６７と、
・メール音声変換データ格納領域１６８と、
を含んでいる。
【００３０】
第１音声ガイダンス格納領域１６１には、図２（第１音声ガイダンス格納領域１６１に格納されるガイダンスの一例を示す図）に示すように、メール受信通知用のガイダンスが音声データとして予め格納されている。第２音声ガイダンス格納領域１６２には、図３（第２音声ガイダンス格納領域１６２に格納されるガイダンスの一例を示す図）に示すように、返信／終了選択用のガイダンスが音声データとして予め格納されている。第３音声ガイダンス格納領域１６３には、図４（第３音声ガイダンス格納領域１６３に格納されるガイダンスの一例を示す図）に示すように、返信メッセージ選択用のガイダンスが音声データとして予め格納されている。第４音声ガイダンス格納領域１６４には、図５（第４音声ガイダンス格納領域１６４に格納されるガイダンスの一例を示す図）に示すように、返信メール送信確認用のガイダンスが音声データとして予め格納されている。第５音声ガイダンス格納領域１６５には、図６（第５音声ガイダンス格納領域１６５に格納されるガイダンスの一例を示す図）に示すように、次メールがある場合の次メール通知用ガイダンスが音声データとして予め格納されている。第６音声ガイダンス格納領域１６６には、図７（第６音声ガイダンス格納領域１６６に格納されるガイダンスの一例を示す図）に示すように、次メールがない場合の次メール通知用ガイダンスが音声データとして予め格納されている。キー押下回数対応メッセージ格納領域１６７には、図８（キー押下回数対応メッセージ格納領域１６７に格納されるデータの一例を示す図）に示すように、押下回数対応に返信メッセージがテキスト情報として予め格納されている。メール音声変換データ格納領域１６８には、図９（メール音声変換データ格納領域１６８に格納されるデータの一例を示す図）に示すように、受信メールの送信元アドレス，件名，本文が音声変換された音声データが格納される。
【００３１】
音声データ記憶部１７は、漢字を仮名に変換するための漢字辞書を格納した漢字仮名変換辞書ファイルと、ＪＩＳコード等の文字コードで表される文字データに対してそれぞれ文字音声データを予め対応付けて格納している音声データファイルとを記憶している。
【００３２】
イヤホンマイク２０は、耳装着型のイヤホン装置であり、携帯端末１０とはブルートゥース等の近距離無線通信によりデータの送受信を行う。このイヤホンマイク２０は、近距離無線通信部２１と、音声処理部２２と、音声出力部２３と、制御部２４とを備えている。なお、このイヤホンマイク２０は図示しないマイクも備えているが、本発明に直接関係しないため詳細な説明は省略する。近距離無線通信部２１は、携帯端末１０の近距離無線通信部１４との間でブルートゥース等の近距離無線通信を行う機能を備えている。音声処理部２２は、近距離無線通信部２２で受信した音声データをＤ／Ａ変換して音声出力部２３に渡す機能を備えている。音声出力部２３はユーザが直接耳に装着するイヤホンであり、制御部２４は近距離無線通信部２１や音声処理部２２を制御する。
【００３３】
次に、本発明の一実施の形態の動作について図１〜図１０を参照して説明する。図１０は、本発明の一実施の形態の動作を示すフローチャートである。
【００３４】
図１０のフローチャートの説明に入る前に、簡易返信モードの設定について説明する。通常は、メールを受信すると受信メールを図示しないメモリに記憶するとともに、着信音等を図示しないスピーカを介して出力する。簡易返信モードとは、メール受信時に耳装着型イヤホンマイク２０を介してメール内容を読み上げたり、特定キーの押下により返信メッセージを選択して返信メールを生成，送信するモードを意味している。この簡易返信モードにおいては、ユーザがポケット等に入れた携帯端末１０を取り出すことなく、メール内容の把握やメール返信を行えるため、身動きがとれないような満員電車内等におけるメール返信に有効である。この簡易返信モードの設定は、例えば、特定キーを長押し（一定時間以上押し続ける）することにより行う。ここで、特定キーとは、予め簡易返信モード用に設定された一つのキーであり、携帯端末１０の操作部１３に含まれるキーであるが、ポケットに入れた状態でも押下でき、かつ、ブラインドタッチでも分かるような位置に備えられているキーを使用する。ユーザは、電車に乗車する前、または、電車内で操作部１３の特定キーを長押しすると、携帯端末１０の制御部１５はそれを検出し、簡易返信モードになったことを記憶部１６の図示しない格納領域に登録する。
【００３５】
次に、図１０を参照すると、携帯端末１０の制御部１５は、メールを受信すると簡易返信モードになっているかを記憶部１６を参照して確認する（ステップＡ１，Ａ２）。簡易返信モードでなかった場合は、制御部１５は受信メールを図示しないメモリに記憶するとともに、着信音やバイブレーション等によりユーザにメ−ル受信を通知する（ステップＡ２→ステップＡ３）。簡易返信モードであった場合は、制御部１５は第１音声ガイダンス格納領域１６１に格納されたメール受信通知用ガイダンスを、近距離無線通信部１４を介してイヤホンマイク２０に送信する（図２参照）（ステップＡ２→ステップＡ４）。
【００３６】
ユーザはイヤホンマイク２０を介してメール受信通知用ガイダンスを聞き、メール内容の読み上げを希望する場合は操作部１３の特定キーを１回押下し、メール機能を終了させたい場合は特定キーを２回押下する。制御部１５は特定キーの押下回数をカウントし、１回であった場合はステップＡ６に進み、２回であった場合は処理を終了する（ステップＡ５）。ステップＡ５において、特定キーの押下回数が１回であった場合は、制御部１５は受信メールを音声変換し、近距離無線通信部１４を介してイヤホンマイク２０に送信する。詳細には、制御部１５は図示しない文字列音声変換処理プログラムに従い、下記に示す手順で音声変換を行う。制御部１５は、まず、音声データ記憶部１７に記憶している漢字仮名変換辞書ファイルに基づき、受信メールの送信元アドレス，件名，本文等の文字列に含まれている漢字全てを仮名変換することにより読み上げ用文字列に変換する。次に、制御部１５は、読み上げ用文字列の先頭から１バイトずつ文字データを抽出し、音声データ記憶部１７に記憶している音声データファイルに基づいて、各文字データに対応する文字音声データを取得する。そして、制御部１５はこれらの読み上げ用文字列に対応した音声データをメール音声変換データ格納領域１６８に格納するとともに（図９参照）、近距離無線通信部１４を介してイヤホンマイク２０に送信する。ユーザの耳に装着されたイヤホンマイク２０においては、近距離無線通信部２１で受信した音声データを音声処理部２２でＤ／Ａ変換して音声出力部２３（イヤホン）から音声出力する（ステップＡ６）。
【００３７】
次に、制御部１５は第２音声ガイダンス格納領域１６２に格納された返信／終了選択用ガイダンスを、近距離無線通信部１４を介してイヤホンマイク２０に送信する（図３参照）（ステップＡ７）。ユーザはイヤホンマイク２０を介して返信／終了選択用ガイダンスを聞き、返信を希望する場合は操作部１３の特定キーを１回押下し、返信不要の場合は２回押下し、メール機能を終了させたい場合は３回押下する。制御部１５は特定キーの押下回数をカウントする（ステップＡ８）。
【００３８】
ステップＡ８において押下回数が１回の場合は、制御部１５は返信操作と判断し、第３音声ガイダンス格納領域１６３に格納された返信メッセージ選択用ガイダンスを、近距離無線通信部１４を介してイヤホンマイク２０に送信する（図４参照）（ステップＡ９）。ユーザはイヤホンマイク２０を介して返信メッセージ選択用ガイダンスを聞いて、希望する返信メッセージに対応する回数だけ特定キーを押下し、制御部１５は特定キーの押下回数をカウントする（ステップＡ１０）。次に、制御部１５はカウントした押下回数対応の返信メッセージをキー押下回数対応メッセージ格納領域１６７から抽出し（図８参照）、抽出した返信メッセ−ジを本文とする返信メールを生成する（ステップＡ１１）。そして、制御部１５は第４音声ガイダンス格納領域１６４に格納されたメール送信確認用ガイダンスを、近距離無線通信部１４を介してイヤホンマイク２０に送信する（図５参照）（ステップＡ１２）。ユーザはイヤホンマイク２０を介してメール送信確認用ガイダンスを聞き、了解（送信可）の場合は特定キーを１回押下し、送信キャンセルの場合は２回押下する。制御部１５は特定キーの押下回数をカウントして送信了解かキャンセルかを判別する（ステップＡ１３）。
【００３９】
ステップＡ１３において、送信了解であった場合は、制御部１５はステップＡ１１で生成した返信メールを送信する（ステップＡ１４）。その後、制御部１５は未読の受信メールが残っているかを確認する（ステップＡ１５）。ステップＡ１５で確認の結果、残っていなければ、制御部１５は第６音声ガイダンス格納領域１６６に格納された次メール無し通知用ガイダンスを近距離無線通信部１４を介してイヤホンマイク２０に送信し、処理を終了する（図７参照）（ステップＡ１６）。ステップＡ１５で確認の結果、残っていた場合は、制御部１５は第５音声ガイダンス格納領域１６５に格納された次メール有り通知用ガイダンスを近距離無線通信部１４を介してイヤホンマイク２０に送信する（図６参照）（ステップＡ１７）。ユーザはイヤホンマイク２０を介して次メール有り通知用ガイダンスを聞き、次メールの読み上げを希望する場合は特定キーを１回押下し、メール機能を終了させたい場合は２回押下する。制御部１５は特定キーの押下回数をカウントして読み上げ希望かメール機能終了かを判別する（ステップＡ１８）。ステップＡ１８において、読み上げ希望であった場合はステップＡ６に戻り、残りの未読メールに対してステップＡ６〜ステップＡ１８の動作を繰り返す。ステップＡ１８において、メール機能終了であった場合は、制御部１５は処理を終了する。
【００４０】
次に、ステップＡ８において押下回数が２回の場合は、制御部１５は返信不要操作と判断してステップＡ１５に進み（ステップＡ８→ステップＡ１５）、上述したステップＡ１５〜ステップＡ１８の動作を行う。また、ステップＡ８において押下回数が３回の場合は、制御部１５はメール機能終了操作と判断して処理を終了する。
【００４１】
以上説明したように、本実施の形態においては、メール内容の確認や返信メールの作成，送信を、耳装着型イヤホンマイク２０への音声ガイダンス送信とブラインドタッチ可能な特定キーの押下とによって実現している。換言すれば、携帯端末１０をポケット等から取り出すことなく受信メールの確認や返信が行えるため、満員電車等、身動きが制約されるような混雑した場所においてメールを受信したような場合でも、その場で受信メールの確認や返信が行えるという効果が得られる。
【００４２】
次に、本発明の他の実施の形態について説明する。
【００４３】
上述した一実施の形態においては、メール受信をトリガとしてメールの読み上げや返信を行っているが、本実施の形態においては、メール受信に関係なく、ユーザが希望するときに未読の受信メールの読み上げ，返信を行うことを特徴としている。例えば、受信しているが時間がなくて未読となっているメールを、ユーザが通勤時の電車内等で処理（内容確認や返信）するような場合を想定している。本実施の形態の構成は、図１に示された一実施の形態の構成と同じである。
【００４４】
次に、本実施の形態の動作について図１１を参照して説明する。図１１は、本発明の他の実施の形態の動作を示すフローチャートである。
【００４５】
図１１を参照すると、ユーザが希望するときに、例えば、特定キーを長押しすると、制御部１５は特定キーの長押しを検出し、未読メール簡易処理要求であることを判別する。なお、未読メール簡易処理とは、未読メールを抽出し、耳装着型イヤホンマイク２０に対してメール内容を読み上げたり、特定キーの押下により返信メッセージを選択して返信メールを生成，送信する処理を意味している。また、ここで言う特定キーとは、予め未読メール簡易処理用に設定された一つのキーであり、携帯端末１０の操作部１３に含まれるキーであるが、ポケットに入れた状態でも押下でき、ブラインドタッチ可能な位置に備えられているキーを使用する（ステップＢ１）。ユーザから未読メール簡易処理要求を受けた制御部１５は、携帯端末１０の図示しないメモリに記憶された受信メールの中に未読メールがあるかを検索する（ステップＢ２）。ステップＢ２において、未読メールがなかった場合は、制御部１５は未読メールがない旨の音声ガイダンスを記憶部１６の図示しない格納領域から取得し、近距離無線通信部１４を介してイヤホンマイク２０に送信して処理を終了する（ステップＢ３）。ステップＢ２において、未読メールがあった場合は、制御部１５は未読メールを抽出し、例えば、受信日時順にリストアップする（ステップＢ４）。ステップＢ４に続き、制御部１５は未読メールリストを基に未読メールを音声変換し、近距離無線通信部１４を介してイヤホンマイク２０に送信する。この未読メールの処理は、例えば、未読メールリストの順（受信日時の古い順）とし、最初の処理は最も受信日時の古い未読メールについて行い、ステップＢ１７からステップＢ５に戻った場合は次の順位の未読メールについて行うことになる（ステップＢ５）。
【００４６】
なお、ステップＢ６〜ステップＢ１７の動作については、一実施の形態で説明した図１０のステップＡ７〜ステップＡ１８の動作と同じであるため、説明を省略する。
【００４７】
以上説明したように、本実施の形態においては、特定のキー操作により未読メールをリストアップし、耳装着型イヤホンマイク２０への音声読み上げや簡易なメール返信を行うことを可能としている。これにより、携帯端末１０で大量の業務メールを受信するビジネスマン等は、前日以前や当日早朝等に受信して未読となっているメールを通勤中の電車の中等で処理できるため、通勤時間を有効に利用して未読メール処理ができるという効果が得られる。
【００４８】
次に、本発明の応用例，変形例等について説明する。
【００４９】
・上述した一実施の形態または他の実施の形態においては、全ての未読メールを音声読み上げや返信の対象としたが、所定時間前までに受信した未読メールに限定するようにしてもよい。例えば、一実施の形態においては、メール受信時やメール返信時から、また、他の実施の形態においては、未読メール簡易処理操作時から、例えば２４時間以内に受信している未読メールを対象として選択するようにしてもよい。この場合、制御部１５はメール受信時，返信時や未読メール簡易処理操作時の日時情報を図示しない時計部から取得し、その時点から所定時間前までに受信した未読メールであるかを確認して、対象未読メールか対象外未読メールかを判別することになる。
【００５０】
・上述した一実施の形態または他の実施の形態においては、携帯端末１０に特定キーを備えているが、イヤホンマイク２０に備えるようにしてもよい。この場合は、特定キー押下情報（押下回数等）をイヤホンマイク２０の制御部２４がカウントし、近距離無線通信部２１を介して携帯端末１０に送信する。携帯端末１０の制御部１５は近距離無線通信部１４を介して特定キー押下情報を受信することになる。
【００５１】
・上述した一実施の形態または他の実施の形態においては、携帯端末１０とイヤホンマイク２０間は近距離無線通信によって接続されるとして説明したが、ケーブルにより接続するようにしてもよい。
【００５２】
・上述した一実施の形態または他の実施の形態においては、一つの特定キーの押下回数に応じて次に行うアクションを指定するとして説明した。これは、携帯端末１０をポケット等から取り出すことなく、ブラインドタッチ可能な特定キーを用いるという本発明の前提条件を満足するとともに、操作を簡易にするためである。しかし、携帯端末１０の形状を考慮すると、現在主流である折り畳み型以外のストレート型携帯端末１０等では、操作部１３の全てのキーを操作することが可能である。従って、例えば、特定キーをテンキー（０〜９の数字キー）とし、押下回数１回の代わりに１のテンキーの押下、押下回数２回の代わりに２のテンキーの押下、のような動作指定方法をとるようにしてもよい。但し、この場合でも、ユーザがブラインドタッチ可能なキーを選択して用いるものとする。
【００５３】
・上述した一実施の形態または他の実施の形態のいずれの形態で実行するかを、ユーザが携帯端末１０に設定するようにしてもよい。この場合、携帯端末１０の制御部１５は設定された形態情報に応じた制御を行う。また、一実施の形態，他の実施の形態の両方を実行するようにしてもよいが、この場合は、本発明の実行モードにするための特定キーは各実施の形態で異なるキーとする。
【図面の簡単な説明】
【００５４】
【図１】本発明の一実施の形態の構成を示す図である。
【図２】第１音声ガイダンス格納領域１６１に格納されるガイダンスの一例を示す図である。
【図３】第２音声ガイダンス格納領域１６２に格納されるガイダンスの一例を示す図である。
【図４】第３音声ガイダンス格納領域１６３に格納されるガイダンスの一例を示す図である。
【図５】第４音声ガイダンス格納領域１６４に格納されるガイダンスの一例を示す図である。
【図６】第５音声ガイダンス格納領域１６５に格納されるガイダンスの一例を示す図である。
【図７】第６音声ガイダンス格納領域１６６に格納されるガイダンスの一例を示す図である。
【図８】キー押下回数対応メッセージ格納領域１６７に格納されるデータの一例を示す図である。
【図９】メール音声変換データ格納領域１６８に格納されるデータの一例を示す図である。
【図１０】本発明の一実施の形態の動作を示すフローチャートである。
【図１１】本発明の他の実施の形態の動作を示すフローチャートである。
【図１２】従来の電子メール送受信装置の構成を示す図である。
【符号の説明】
【００５５】
１０    携帯端末
１１    アンテナ
１２    無線部
１３    操作部
１４    近距離無線通信部
１５    制御部
１６    記憶部
１６１    第１音声ガイダンス格納領域
１６２    第２音声ガイダンス格納領域
１６３    第３音声ガイダンス格納領域
１６４    第４音声ガイダンス格納領域
１６５    第５音声ガイダンス格納領域
１６６    第６音声ガイダンス格納領域
１６７    キー押下回数対応メッセージ格納領域
１６８    メール音声変換データ格納領域
１７    音声データ記憶部
２０    イヤホンマイク
２１    近距離無線通信部
２２    音声処理部
２３    音声出力部
２４    制御部
【図１】
2008065602.tif 000003
【図２】
2008065602.tif 000004
【図３】
2008065602.tif 000005
【図４】
2008065602.tif 000006
【図５】
2008065602.tif 000007
【図６】
2008065602.tif 000008
【図７】
2008065602.tif 000009
【図８】
2008065602.tif 000010
【図９】
2008065602.tif 000011
【図１０】
2008065602.tif 000012
【図１１】
2008065602.tif 000013
【図１２】
2008065602.tif 000014